(57)【要約】【課題】移動や持ち歩きにも便利な折畳み可能な組立式布ボックスを提供する。【解決手段】折畳み可能な組立式布ボックスは、多段タイプの折畳み可能な組立式ラック、及び折畳み可能な組立式ラックの各段内に設けられる布引出しを備えてなる。【選択図】図１
0003164283.tif 000002
【実用新案登録請求の範囲】
【請求項１】
多段タイプの折畳み可能な組立式ラック、及び折畳み可能な組立式ラックの各段内に設けられる布引出しを備えてなることを特徴とする折畳み可能な組立式布ボックス。
【請求項２】
該折畳み可能な組立式ラックは、つなぎ合せた二つのフレーム、上板、及び上板の両側に設けられるための一対の上板用スロットパイプが備わり、該フレームは、二つの縦向き分岐管、及び該二つの縦向き分岐管をつなぐための何本のラック用横向きパイプを備えてなるものであり、該二つのフレームは、各ラック用横向きパイプの中央部を通り、つなぎ合わせて、支持スタンドになるが、支持スタンドの両側は、つなぎ部品によって、それぞれ左、右側スタンドにつながるが、該左、右側スタンドの内側は、それぞれ各ラックに対応するための支持脚が設けられて、布引出しを置くためのラックが形成されることになるが、布引出しを取り出したときに抜けないように、該布引出しの後部の両側には、それぞれラックの上パイプを跨いだ位置決めバンドが設けられていることを特徴とする請求項１に記載の折畳み可能な組立式布ボックス。
【請求項３】
該上板用スロットパイプの前、後部の上側には、支持スタンドの前後にある縦向き分岐管に挿入するためのジョイントが設けられていることを特徴とする請求項２に記載の折畳み可能な組立式布ボックス。
【請求項４】
該ジョイントは、片側壁にフレキシブルピンを有するジョイントであり、該支持スタンドの縦向き分岐管のつなぎ部の前部に対応するところには、フレキシブルピンに合わせるためのホールが設けられていることを特徴とする請求項３に記載の折畳み可能な組立式布ボックス。
【請求項５】
該上板用スロットパイプのキャビティの片側には上板通し口があり、他方側には上板内のホールに挿入されるピンがあることを特徴とする請求項２に記載の折畳み可能な組立式布ボックス。    
【請求項６】
該折畳み式ラックは、包括後側方形フレーム、隣接部を通って後側方形フレームにつなぎ合せた傍側方形フレームが備わり、該後側方形フレームの他方側には、他方側方形フレームがつないでおり、該両側方形フレームの上、下側の間には、それぞれ方形板、及び方形板の両側に設けられるための一対のスロットパイプがあり、両側方形フレームはそれぞれ何本のラック用パイプ、及びラック用パイプの上方に対応すするためのコネクティングパイプがあり、各対のラック用パイプの間には、両側に位置決め鉤片をつなぐためのラック板が設けられ、該布引出しはラック板の上に置かれ、そして布引出しを取り出したときに防ぐために、布引出し後部の両側には、コネクティングパイプを跨いだバンドが設けられており、該後側方形フレームの両側の方形フレーム体は、それぞれバックル部品があり、外側にある方形飾りシートとつなぐことになることを特徴とする請求項１に記載の折畳み可能な組立式布ボックス。
【請求項７】
他方側の方形フレームは、隣接部の内側の縦ピンによって、後側方形フレーム隣接部の丸カバー内に挿入され、設けられるようになることを特徴とする請求項６に記載の折畳み可能な組立式布ボックス。
【請求項８】
該スロットパイプのキャビティの片側には上板通し口があり、他方側には方形板のホールに挿入される突出しピンを特徴とする請求項７に記載の折畳み可能な組立式布ボックス。
【考案の詳細な説明】
【技術分野】
【０００１】
本考案は、折畳み可能な組立式布ボックスに関わる。
【背景技術】
【０００２】
現在、集団宿舎に住んでいる従業員、旅客，  学生、アルバイト族などが、一般的にシングルベッド、または二段シングルベッドを利用するが、条件がよい場合は、固定式壁キャビネットやベッドサイドキャビネットが付いているが、それらは、お住まいの場所を取るし、お金もかかるものである。  
【考案の概要】
【考案が解決しようとする課題】
【０００３】
本考案は、折畳み可能な組立式布ボックスを提供することを目的とし、該製品は、物品の収納に便利で利用されるし、組立も取り外しも簡単で、取り外して畳めるから、移動や持ち歩きにも便利なものである。
【課題を解決するための手段】
【０００４】
本考案は、多段タイプの折畳み可能な組立式ラック、及び折畳み可能な組立式ラックの各段内に設けられる布引出しを備えてなるものである。  
本考案の長所としては、一つ目は収納便利、二つ目は軽くて折り畳めて、移動や持ち歩きに便利、三つ目は工具は一切不要で、組立てや取り外しが可能で、時間節約に大変役立つということ。
【図面の簡単な説明】
【０００５】
【図１】本考案の実施例一の構造イメージ。
【図２】本考案の実施例一の右側面図。
【図３】本考案の実施例一の鳥瞰図  （布引き出し抜き）
【図４】本考案の図３Ａ−Ａの断面図。
【図５】本考案の実施例二の構造イメージ。
【図６】本考案の実施例二の右側面図。
【図７】本考案の実施例二の鳥瞰図。
【考案を実施するための形態】
【０００６】
本考案の実施例一は、多段タイプの折畳み可能な組立式ラック１、及び折畳み可能な組立式ラックの各段内に設けられる布引出し２を備えてなるものであり、該折畳み可能な組立式ラック１は、つなぎ合せた二つのフレーム３、上板及び上板の両側に設けられるための一対の上板用スロットパイプ４が備わり、該フレーム３は、二つの縦向き分岐管、及び該二つの縦向き分岐管をつなぐための何本のラック用横向きパイプ５を備えてなるものであり、該二つのフレームは、各ラック用横向きパイプ５の中央部を通り、つなぎ合わせて、支持スタンドになるが、支持スタンドの両側は、つなぎ部品によって、それぞれ左、右側スタンド６につながるが、該左、右側スタンド６の内側は、それぞれ各ラックに対応するための支持脚７が設けられて、布引出し２を置くためのラックが形成されることになるが、布引出し２を取り出したときに抜けないように、該布引出し２の後部の両側には、それぞれラックの上パイプを跨いだ位置決めバンド８が設けられている。
【０００７】
該上板用スロットパイプ４の前、後部の上側には、支持スタンドの前後にある縦向き分岐管に挿入するためのジョイント９が設けられている。
該ジョイント９は、片側壁にフレキシブルピンを有するジョイントであり、該支持スタンドの縦向き分岐管のつなぎ部の前部に対応するところには、フレキシブルピンに合わせるためのホール１１が設けられている。
該上板用スロットパイプのキャビティの片側には上板通し口１２があり、他方側には上板内のホールに挿入されるピン１３がある。
【０００８】
本考案の実施例二は、多段タイプの折畳み可能な組立式ラック１、及び折畳み可能な組立式ラックの各段内に設けられる布引出し２を備えてなるものであり、該折畳み式ラック１は、後側方形フレーム１４、隣接部を通って後側方形フレームにつなぎ合せた傍側方形フレーム１５が備わり、該後側方形フレームの他方側には、他方側方形フレーム１６がつないでおり、該両側方形フレームの上、下側の間には、それぞれ方形板、及び方形板の両側に設けられるための一対のスロットパイプ１７があり、両側方形フレームはそれぞれ何本のラック用パイプ１８、及びラック用パイプ１８の上方に対応するためのコネクティングパイプ１９があり、各対のラック用パイプ１８の間には、両側に位置決め鉤片２０をつなぐためのラック板２１が設けられ、該布引出し２はラック板２１の上に置かれ、布引出し２の後部の両側には、布引出しを取り出したときに抜けないように、コネクティングパイプを跨いだバンド２２が設けられており、該後側方形フレームの両側の方形フレーム体は、それぞれバックル部品２３があり、外側にある方形飾りシート２４とつなぐことになる。
【０００９】
他方側の方形フレームは、隣接部の内側の縦ピン２５によって、後側方形フレーム隣接部の丸カバー２６内に挿入され、設けられるようになる。
該スロットパイプのキャビティの片側には上板通し口２７があり、他方側には方形板のホールに挿入される突出しピン２８がある。  
【符号の説明】
【００１０】
１      組立式ラック
２      布引出し
３      フレーム
４      上板用スロットパイプ
５      ラック用横向きパイプ
６      右側スタンド
７      支持脚
８      バンド
９      ジョイント
１１    ホール
１２    上板通し口
１３    ピン
１４    フレーム
１５    フレーム
１６    フレーム
１７    スロットパイプ
１８    ラック用パイプ
１９    コネクティングパイプ
２０    鉤片
２１    ラック板
２２    バンド
２３    バックル部品
２４    飾りシート
２５    縦ピン
２６    カバー
２７    通し口
【図１】
0003164283.tif 000003
【図２】
0003164283.tif 000004
【図３】
0003164283.tif 000005
【図４】
0003164283.tif 000006
【図５】
0003164283.tif 000007
【図６】
0003164283.tif 000008
【図７】
0003164283.tif 000009
【手続補正書】
【提出日】平成22年8月26日(2010.8.26)
【手続補正１】
【補正対象書類名】実用新案登録請求の範囲
【補正対象項目名】請求項６
【補正方法】変更
【補正の内容】
【請求項６】
該折畳み式ラックは、後側方形フレーム、隣接部を通って該後側方形フレームにつなぎ合せた傍側方形フレームが備わり、該後側方形フレームの他方側には、他方の傍側方形フレームが接続され、これら２つの傍側方形フレームの上、下側の間には、それぞれ方形板、及び方形板の両側に設けられるための一対のスロットパイプがあり、上記２つの傍側方形フレームはそれぞれ複数本のラック用パイプ、及びこれらラック用パイプの上方に対応するコネクティングパイプがあり、各対のラック用パイプの間には、両側に位置決め鉤片をつなぐためのラック板が設けられ、該布引出しはラック板の上に置かれ、そして布引出しを取り出したときに防ぐために、布引出し後部の両側には、コネクティングパイプを跨いだバンドが設けられており、該後側方形フレームの両側の傍側方形フレームには、それぞれバックル部品があり、外側にある方形飾りシートとつなぐことになることを特徴とする請求項１に記載の折畳み可能な組立式布ボックス。
【手続補正２】
【補正対象書類名】実用新案登録請求の範囲
【補正対象項目名】請求項７
【補正方法】変更
【補正の内容】
【請求項７】
他方側の傍側方形フレームは、隣接部の内側の縦ピンによって、後側方形フレーム隣接部の丸カバー内に挿入され、設けられるようになることを特徴とする請求項６に記載の折畳み可能な組立式布ボックス。
【手続補正３】
【補正対象書類名】明細書
【補正対象項目名】０００８
【補正方法】変更
【補正の内容】
【０００８】
本考案の実施例二は、多段タイプの折畳み可能な組立式ラック１、及び折畳み可能な組立式ラックの各段内に設けられる布引出し２を備えてなるものであり、該折畳み式ラック１は、後側方形フレーム１４、隣接部を通って後側方形フレームにつなぎ合せた傍側方形フレーム１５が備わり、該後側方形フレームの他方側には、他方の傍側方形フレーム１６がつないでおり、２つの傍側方形フレームの上、下側の間には、それぞれ方形板、及び方形板の両側に設けられるための一対のスロットパイプ１７があり、２つの該傍側方形フレームはそれぞれ複数本のラック用パイプ１８、及びラック用パイプ１８の上方に対応するためのコネクティングパイプ１９があり、各対のラック用パイプ１８の間には、両側に位置決め鉤片２０をつなぐためのラック板２１が設けられ、該布引出し２はラック板２１の上に置かれ、布引出し２の後部の両側には、布引出しを取り出したときに抜けないように、コネクティングパイプを跨いだバンド２２が設けられており、該後側方形フレームの両側の傍側方形フレームには、それぞれバックル部品２３があり、外側にある方形飾りシート２４とつなぐことになる。